(57)【要約】【課題】インクによって痴漢の手等にマークをつけ、蓋を開ける際に痴漢に気づかれる可能性が小さく、指輪が痴漢の手に接触した直後に痴漢が手を引いても痴漢の手の向きを示すようなマークをつける痴漢対策用指輪を提供すること。【解決手段】指輪本体の外側にマーク装置を付し、マーク装置は、難消去性インクを含有するマーク用ペン先と、マーク用ペン先を被覆する蓋と、蓋を保持する蓋保持部とを備え、蓋保持部に沿って蓋をスライドさせることによってマーク用ペン先が被覆された状態と露出された状態とを切り替えることが可能であるようにする。また、指輪装着時の指の外周に沿った方向に配置されたインクの色の異なる２本以上のマーク用ペン先を設ける。【選択図】図２
0003165556.tif 000002
【実用新案登録請求の範囲】
【請求項１】
指輪本体の外側にマーク装置が付され、
前記マーク装置は、マーク用ペン先と、前記マーク用ペン先を被覆する蓋と、前記蓋を保持する蓋保持部とを備え、
前記蓋保持部に沿って前記蓋をスライドさせることによってマーク用ペン先が被覆された状態と露出された状態とを切り替えることが可能であり、
前記スライドの方向は指輪装着時の指の長さに沿った方向であることを特徴とする、痴漢対策用指輪。
【請求項２】
２本以上の前記マーク用ペン先を備え、
該２本以上のマーク用ペン先のうちの少なくとも２本が指輪装着時の指の外周に沿った方向に配置された、インクの色の異なるものであることを特徴とする、請求項１に記載の痴漢対策用指輪。
【請求項３】
３本の前記マーク用ペン先を備え、
該３本のマーク用ペン先が指輪装着時の指の外周に沿った方向に配置された、インクの色の異なるものであることを特徴とする、請求項２に記載の痴漢対策用指輪。
【請求項４】
前記マーク用ペン先を指輪の外側方向に移動させるための弾性体を備え、前記蓋保持部に沿って前記蓋をスライドさせることによって前記マーク用ペン先を露出した状態とした時に前記マーク用ペン先が前記弾性体によって指輪の外側方向に移動されることを特徴とする、請求項１〜３のいずれか１項に記載の痴漢対策用指輪。
【請求項５】
指輪本体が７ｍｍ以上の幅を持ったゴムバンドであることを特徴とする請求項１〜４のいずれか１項に記載の痴漢対策用指輪。
【考案の詳細な説明】
【技術分野】
【０００１】
本考案は、痴漢の手にマークをつける痴漢対策用指輪に関するものである。
【背景技術】
【０００２】
混雑した電車内等で痴漢の被害に遭った時に、証拠となるマークを痴漢の手等につけるような指輪が知られている。
特許文献１には、マークをつけるための油性インクを蓋で覆い、蓋開閉用のバネによって蓋を指輪の外側に向けて開けて痴漢の手等に油性インクでマークをつけるための痴漢対策用指輪が開示されている。
しかし、特許文献１に開示された痴漢対策用指輪には、以下の問題点があった。（１）バネによって蓋を開けるため、開ける際に音が発生する。痴漢対策用指輪が広く認知されると、痴漢はその音によって痴漢対策用指輪の操作に気づき、痴漢行為を中止して、マークをつけられないようにすることができてしまう。（２）蓋を指輪の外側に向けて開けるため、蓋を開ける際に蓋が痴漢の手に接触することが多い。痴漢はその接触によって痴漢対策用指輪の操作に気づき、痴漢行為を中止して、マークをつけられないようにすることができてしまう。
【０００３】
特許文献２には、インクによってマークをつけるのでなく、レバーによって針をつきださせる指輪が開示されている。インクを用いないので蒸発防止のための蓋は不要であり、特許文献１に開示された痴漢対策用指輪のように蓋の操作によって痴漢に気づかれることがない。しかし、痴漢に対してであっても、針を刺すことは好ましくない。
【０００４】
痴漢の証拠としては、手にマークをつけることによって痴漢の手が被害者の尻、胸等の周囲にあったことを示すのみでなく、マークの向き等によって痴漢の手の向きをも示すことが好ましい。痴漢行為をするような手の向きであったことを示すことができるからである。
痴漢対策用指輪を装着した手を動かして痴漢の手に線状のマークをつけることができれば、例えば特許文献１に示された痴漢対策用指輪であっても、被害者が手を動かした方向と痴漢の手に残る線状のマークの相対的な関係によって痴漢の手の向きが示される。
しかし、痴漢は、痴漢対策用指輪が手に触れたことに気づき、線状のマークをつけられる前に手を引いてしまうと考えられる。このような場合に痴漢の手の向きを示すようなマークをつける痴漢対策用指輪は知られていなかった。
【先行技術文献】
【特許文献】
【０００５】
【特許文献１】特開２００４−２０１８８７号公報
【特許文献２】特開２０００−０１４１７７号公報
【考案の概要】
【考案が解決しようとする課題】
【０００６】
解決しようとする問題点は、インクによって痴漢の手等にマークをつけ、蓋を開ける際に痴漢に気づかれる可能性が小さく、指輪が痴漢の手に接触した直後に痴漢が手を引いても痴漢の手の向きを示すようなマークをつける痴漢対策用指輪を提供することである。
【課題を解決するための手段】
【０００７】
本考案の痴漢対策用指輪は、
指輪本体の外側にマーク装置が付され、
前記マーク装置は、マーク用ペン先と、前記マーク用ペン先を被覆する蓋と、前記蓋を保持する蓋保持部とを備え、
前記蓋保持部に沿って前記蓋をスライドさせることによってマーク用ペン先が被覆された状態と露出された状態とを切り替えることが可能であり、
前記スライドの方向は指輪装着時の指の長さに沿った方向であることを特徴とする。
蓋をスライドさせることのみによってマーク用ペン先を露出させることが可能であり、痴漢に気づかれずにペン先を露出させてマークをつけることができる。
【０００８】
本考案の痴漢対策用指輪は、
２本以上の前記マーク用ペン先を備え、
該２本以上のマーク用ペン先のうちの少なくとも２本が指輪装着時の指の外周に沿った方向に配置された、インクの色の異なるものであることを特徴とする。
２つ以上の色の異なるマークをつけることができ、被害者の手と痴漢の手との相対的な向きを示す証拠とし得る。また、被害者が手を動かして線状のマークをつけた場合には、マークの色によって痴漢の手の向きが明確になる。被害者は指の長さに沿った方向に手を動かすことが多い。マーク用ペン先のうちの少なくとも２本が指輪装着時の指の外周に沿った方向に配置されていれば、２つの色のマークが重なることがなく、痴漢の手の向きを立証しやすい。
【０００９】
本考案の痴漢対策用指輪は、
３本の前記マーク用ペン先を備え、
該３本のマーク用ペン先が指輪装着時の指の外周に沿った方向に配置された、インクの色の異なるものであることを特徴とする。
痴漢の手の向きを示すためには、２本以上のペン先によるマークがあることが好ましい。３本のマーク用ペン先を設けることにより、そのうち１本がインク切れ等によって機能しなくても２本以上のペン先によるマークをつけることができる。また、ペン先の数が多くなるとマーク装置が大きくなり扱いにくい。３本のペン先を設けることにより、マーク装置を大きくせずに２本以上のペン先によるマークを確実につけることができる。
【００１０】
本考案の痴漢対策用指輪は、
前記マーク用ペン先を指輪の外側方向に移動させるための弾性体を備え、前記蓋保持部に沿って前記蓋をスライドさせることによって前記マーク用ペン先を露出した状態とした時に前記マーク用ペン先が前記弾性体によって指輪の外側方向に移動されることを特徴とする。
マーク用ペン先が指輪の外側方向に移動することにより、被害者は、手を痴漢に押し付ける動作をせずに容易にマークをつけることができる。
【００１１】
本考案の痴漢対策用指輪は、
指輪本体が７ｍｍ以上の幅を持ったゴムバンドであることを特徴とする。
指輪本体が指に安定して装着されていると、装着感がよく、また、被害者の手と指輪との相対的な位置が安定して証拠能力が高い。指輪本体を７ｍｍ以上の幅を持ったゴムバンドとして、安定した装着を実現する。
【考案の効果】
【００１２】
本考案の痴漢対策用指輪は、インクによって痴漢の手等にマークをつけ、蓋を開ける際に痴漢に気づかれる可能性が小さいという効果を有する。
また、指輪が痴漢の手に接触した直後に痴漢が手を引いても痴漢の手の向きを示すようなマークをつけることができるという効果を有することができる。
更に、マーク用ペン先のうち１本がインク切れとなっても上記効果を持つようにすること、手を痴漢に押し付ける動作をせずに容易にマークをつけること及び装着感がよく、被害者の手と指輪との相対的な位置が安定して証拠能力が高いという効果も有することができる。
【図面の簡単な説明】
【００１３】
【図１】図１は、痴漢対策用指輪の概要を示す図である。
【図２】図２は、マーク装置の例を示す図である。
【図３】図３は、マーク用ペン先を被覆した状態におけるマーク装置の状態の例を示す図である。
【考案を実施するための形態】
【００１４】
以下、本考案の実施例を示す。
【実施例１】
【００１５】
図１は、痴漢対策用指輪の概要を示す図である。指輪本体１に、マーク装置２が設けられている。使用者（被害者になり得る者）は、この痴漢対策用指輪を人差指、中指、薬指又は小指に、マーク装置２が掌の側に置かれるように装着する。親指によってマーク装置２を操作することができる。指輪本体は、７ｍｍ以上の幅を持ったゴムバンドであることが好ましいが、７ｍｍ未満の幅のゴムバンド、プラスチック、金属等であってもよい。
【００１６】
図２は、マーク装置の例を示す図である。蓋３がレール４によって蓋保持部５に咬合されている。使用者は、蓋３をレール４に沿ってスライドさせ、３本のマーク用ペン先６１、６２及び６３が蓋３によって被覆された状態と露出された状態とを切り替えることが可能である。使用者が親指によって蓋３をスライドさせることを容易にするため、蓋３の外側にすべり止め７が設けられている。図２は露出させた状態を示す。マーク用ペン先６１、６２及び６３は、油性のフェルトペン等難消去性インクを含有するものであることが好ましい。マーク用ペン先６１は赤色、マーク用ペン先６２は黄色、マーク用ペン先６３は青色のインクを含有している。露出させた状態においては、痴漢の手等にマークを付けることができる。
【００１７】
使用者が蓋３を図の左方向に移動してマーク用ペン先が露出された状態となった時には、バネ８によりマーク用ペン先が指輪の外側に移動する。使用者が蓋３を図の右側に移動してマーク用ペン先を蓋３によって被覆する際には、蓋３の内部の傾斜によってバネ８が圧縮される。なお、バネ８は、ゴム等のバネ以外の弾性体であってもよく、また設けなくてもよい。
【００１８】
図３は、マーク用ペン先を被覆した状態におけるマーク装置の状態の例を示す図である。この状態においては、マーク用ペン先が露出しておらず、誤って他人にマークをつけてしまうことがない。
【産業上の利用可能性】
【００１９】
インクによって痴漢の手等にマークをつけ、蓋を開ける際に痴漢に気づかれる可能性が小さいという効果を有する痴漢対策用指輪であり、多くの女性による利用が期待できる。
【符号の説明】
【００２０】
１    痴漢防止用指輪本体
２    マーク装置
３    蓋
４    レール
５    蓋保持部
６１  マーク用ペン先
６２  マーク用ペン先
６３  マーク用ペン先
７    すべり止め
８    バネ
【図１】
0003165556.tif 000003
【図２】
0003165556.tif 000004
【図３】
0003165556.tif 000005